(57)【要約】      （修正有）【課題】簡単な操作でもってコンパクトな折り畳み状態とすることができるペットボトル等容器用の収納ホルダーを提供する。【解決手段】上部に開口部４を有するケース体２とケース体２を吊り持ちするベルト３とを備える。ケース体２は、底部２２上に設けられる折り曲げ可能な一対の側面部２０，２１と各側面部２０，２１の左右の端部同士をそれぞれ接合して開口部４を縮径する接合手段６とを有する。接合手段６は、一方の側面部２０に形成された一対の貫通孔８，８と、他方の側面部２１の各貫通孔８と対向する位置に設けられた一対のボタン保持部材７０，７０と、一端側が各保持部材７０によって側面部２１に固定された一対の帯材７２，７２と、各帯材７２の他端側に取り付けられ各貫通孔８を介して各保持部材７０と係脱可能な一対の係合部材７１，７１とで構成される。ケース体２は、各側面部２０，２１を折り曲げることにより底部２２が開口部４に挿脱可能である。【選択図】図３
0003150901.tif 000002
【実用新案登録請求の範囲】
【請求項１】
上部に容器の出し入れが可能な開口部を有する有底筒状のケース体を備える容器収納ホルダであって、
前記ケース体は、可撓性を有する柔軟な素材で形成され、底部上に設けられる折り曲げ可能な一対の側面部と、各側面部の左右の端部同士をそれぞれ接合して前記開口部を縮径する接合手段とを有し、
前記接合手段は、一方の前記側面部の上部左右の隅位置に形成された一対の貫通孔と、他方の前記側面部の前記貫通孔と対向する位置に設けられた一対の保持部材と、一端側が前記保持部材により他方の前記側面部に固定された一対の帯材と、前記帯材の他端側に取り付けられ前記貫通孔を介して前記保持部材と係脱可能な一対の係合部材とで構成され、
前記ケース体は、各側面部を折り曲げることにより前記底部を前記開口部に挿脱可能である容器収納ホルダ。
【請求項２】
各側面部の上端縁には、前記の各保持部材または各貫通孔の間に円弧状に切り欠かれた切欠部が形成されている請求項１に記載の容器収納ホルダ。
【考案の詳細な説明】
【技術分野】
【０００１】
本考案は、例えばペットボトルのような飲料水入りの容器を収納するための容器収納ホルダに関し、特に本考案は、容器の未収納時にコンパクトに折り畳むことができる容器収納ホルダに関する。
【背景技術】
【０００２】
従来、適温に保たれた飲料水が入ったペットボトルや缶ボトルなどの容器を収納し、かつ、容器に入れられた飲料水の保温・保冷状態を保持するための容器収納ホルダとして、例えば、特許文献１に開示されたものが提供されている。
【０００３】
この容器収納ホルダは、図６および図７に示すように、皿状に形成された一対のカバー部１００Ａ，１００Ｂと、一方のカバー部１００Ｂを底部として突設された折り畳み可能な筒状の収納部１０１と、各カバー部１００Ａ，１００Ｂを連結するファスナー１０２とを備えている。
【０００４】
各カバー部１００Ａ，１００Ｂは接続部１０３を介して接続され、収納部１０１を折り畳んで一方のカバー部１００Ｂ内に収容した状態で他方のカバー部１００Ａを上方から被せ、各カバー部１００Ａ，１００Ｂをファスナー１０２により連結することで容器収納ホルダが折り畳み状態となる（図７参照）。これにより、容器収納ホルダの持ち運びが容易になる。一方、各カバー部１００Ａ，１００Ｂの連結を解除し、収納部１０１を延ばして伸長状態とすることで、ペットボトルなどの容器を収納可能な状態となる（図６参照）。
【先行技術文献】
【特許文献】
【０００５】
【特許文献１】特開２００４−２６２５５５号公報
【考案の概要】
【考案が解決しようとする課題】
【０００６】
しかしながら、上記した特許文献１に開示された容器収納ホルダでは、折り畳み状態にすべく、収納部１０１を平らになるよう折り畳んで一方のカバー部１００Ｂ内に収容させた上、各カバー部１００Ａ，１００Ｂをファスナー１０２で閉塞させる必要があるため、収納部１０１が厚手の生地などで形成されている場合には、折り畳みに手間や時間を要し、その操作が面倒である。一方、収納部１０１を非常に薄い生地などで形成すれば、容器の保温や保冷を十分に達成することができないおそれがある。
【０００７】
本考案は、上記した問題に着目してなされたもので、簡単な操作でもってコンパクトに折り畳むことができる容器収納ホルダを提供することを目的とする。
【課題を解決するための手段】
【０００８】
本考案による容器収納ホルダは、上部に容器の出し入れが可能な開口部を有する有底筒状のケース体を備えたものである。前記ケース体は、可撓性を有する柔軟な素材で形成され、底部上に設けられる折り曲げ可能な一対の側面部と、各側面部の左右の端部同士をそれぞれ接合して前記開口部を縮径する接合手段とを有する。前記接合手段は、一方の前記側面部の上部左右の隅位置に形成された一対の貫通孔と、他方の前記側面部の前記貫通孔と対向する位置に設けられた一対の保持部材と、一端側が前記保持部材により他方の前記側面部に固定された一対の帯材と、前記帯材の他端側に取り付けられ前記貫通孔を介して前記保持部材と係脱可能な一対の係合部材とで構成されている。前記ケース体は、各側面部を折り曲げることにより前記底部を前記開口部に挿脱可能である。
【０００９】
本考案の上記した構成において、「容器」としては、ペットボトル、缶ボトル、びんボトルなどの各種の容器を含む。
【００１０】
上記した構成の容器収納ホルダでは、ケース体が各側面部を折り曲げてその底部をケース体上部の開口部に挿し込むことにより、折り畳まれた状態となる。従って、簡単な操作で容器収納ホルダをコンパクトで持ち運びの容易な状態にすることが可能である。
【００１１】
一方、容器を容器収納ホルダに収納する場合には、ケース体の底部を開口部から抜き出して、ケース体を伸長させた状態にする。そして、ケース体上部の開口部からケース体内に容器を挿入し、各係合部材をそれぞれ貫通孔を介して各ボタン保持部材に係合させる。これにより、各側面部の左右の端部同士が接合されて、ケース体上部の開口部が縮径するため、容器は、ケース体からの抜け落ちが防止された状態で、ケース体内に収納される。
【００１２】
なお、前記ケース体の容器と接触する内面に断熱材を設けておけば、容器に入れられた飲料水を効果的に保温・保冷することも可能である。
【００１３】
また、前記ケース体に、前記ケース体を吊り持ちするための吊持手段を設けておけば、容器収納ホルダを使用者の手やカバンに吊り下げることができ、容器収納ホルダを手軽に持ち運びすることが可能になる。吊持手段は、例えば、バンドや紐、ベルトなど帯状のもので構成される。
【００１４】
本考案の好ましい実施態様においては、各側面部の上端縁には、前記の各保持部材または各貫通孔の間に円弧状に切り欠かれた切欠部が形成されている。
【００１５】
この実施態様によれば、容器をケース体内に収納した状態で、使用者が容器に入れられた飲料水を飲もうとする際、ケース体の各側面部の上端縁が使用者の口に触れないので、容器の口部が使用者の口の位置にスムーズに位置して、飲料水が飲みやすくなる。
【考案の効果】
【００１６】
本考案の容器収納ホルダによれば、簡単な操作でもってコンパクトな折り畳み状態とすることができる。
【図面の簡単な説明】
【００１７】
【図１】本考案の容器収納ホルダの外観を示す正面図である。
【図２】本考案の容器収納ホルダの外観を示す底面図である。
【図３】本考案の容器収納ホルダの外観を示す斜視図である。
【図４】容器を収納した状態の容器収納ホルダの斜視図である。
【図５】折り畳んだ状態の容器収納ホルダの正面図である。
【図６】従来例の容器収納ホルダの斜視図である。
【図７】従来例の容器収納ホルダの折り畳んだ状態を示す斜視図である。
【考案を実施するための形態】
【００１８】
以下、本考案の実施形態について、添付図面を参照して説明する。図１〜図３は、本考案の一実施例である容器収納ホルダ１の外観構成を示している。この実施例の容器収納ホルダ１は、ペットボトルなどの容器９（図４に示す）を収納して、容器９を手軽に持ち運べるようにするためのものであり、上面が開口した有底筒状のケース体２と、このケース体２を吊持するための帯状のベルト３とで構成されている。
【００１９】
前記ケース体２は、可撓性を有する柔軟な素材を筒状に縫製することにより形成され、対向する一対の側面部２０，２１と、各側面部２０，２１の下端に位置する底部２２と、各側面部２０，２１の左右の端部同士をそれぞれ接合可能な接合手段６とを有している。ケース体２の素材としては、本実施例では、リネンなどの布地２３の一方の面にアルミニウムフィルムなどの断熱性を有する断熱性素材２４を合わせた２層構造のものが用いられており、外部に面するケース体２の外面に布地２３が、容器９と接触するケース体２の内面に断熱性素材２４が、それぞれ位置している。これにより、容器９に入れられた飲料水などの内容物は、その保温・保冷状態が保持される。なお、必ずしも、素材に断熱性素材２４の層を設ける必要はない。
【００２０】
このケース体２の上面の開口部４は、容器収納ホルダ１に対して容器９の出し入れが可能な出入口となっている。ケース体２の底部２２と両側面部２０，２１とで囲まれた空間が容器９の収納部５であり、収納部５は、容器９のほぼ全体を覆うことができるような（例えば、５００ｍｌのペットボトルの規格に対応する）長さや幅に設定されている。本実施例では、図４に示すように、容器９は、その口部９０の直下（肩部９１の辺り）まで収納部５内に収納されるようになっている。
【００２１】
図１〜図３に戻って、各側面部２０，２１は、下部から上部に向けて、その幅方向に沿い、裾広がりの形状を有しており、その適所において自在に折り曲げることが可能である。各側面部２０，２１の上端縁には、その中央部であって、後述する各ボタン保持部材７０，７０または各貫通孔８，８の間に、円弧状に切り欠かれた切欠部２５，２５がそれぞれ形成されている。この切欠部２５，２５は、容器９を容器収納ホルダ１に収納した状態で、使用者が容器９に入れられた飲料水を飲もうとする際、ケース体２の各側面部２０，２１の上端縁が使用者の口に触れないようにしたものである。これにより、容器９の口部９０が使用者の口の位置にスムーズに位置するため、飲料水が飲みやすくなる。
【００２２】
一方の側面部２０の上部左右の隅位置には、左右一対のボタン留め機構７，７が、他方の側面部２１の上部左右の隅位置には、左右一対の貫通孔８，８が、それぞれ設けられている。この各ボタン留め機構７，７および各貫通孔８，８は、前記接合手段６を構成するものである。
【００２３】
底部２２は、折り目Ａに沿ってケース体２の内側へ向けて屈曲可能となっている。底部２２を屈曲した状態とすることにより、ケース体２は筒状の状態から両側面部２０，２１が重なる扁平な状態となる。底部２２の幅ｄは、開口部４の内径Ｄよりも狭くなっており、底部２２は、屈曲した状態において、ケース体２上面の開口部４に挿脱することが可能となっている。
【００２４】
前記接合手段６は、向かい合う各側面部２０，２１の左右の端部同士をそれぞれ接合して、開口部４を縮径するものであり、一対のボタン留め機構７，７と一対の貫通孔８，８とで構成される。各ボタン留め機構７，７はそれぞれ、一方の側面部２０の内面側に取り付けられたボタン保持部材７０（保持部材を構成）と、一端側がボタン保持部材７０によって一方の側面部２０に固定された帯材７２と、帯材７２の他端側に取り付けられたボタン７１（係合部材を構成）とで構成されている。各ボタン７１は、各ボタン保持部材７０とそれぞれ係脱可能である。各貫通孔８，８は、他方の側面部２１の各ボタン保持部材７０，７０と対向する位置にそれぞれ形成されている。
【００２５】
図４に示すように、容器９をケース体２の収納部５に収納した状態で、各側面部２０，２１の左右の端部同士をそれぞれ重ね、各ボタン７１，７１を貫通孔８，８を通してボタン保持部材７０，７０にそれぞれ嵌め込むことにより、各側面部２０，２１の左右の端部同士が接合される。これにより、ケース体２上面の開口部４の開口縁部が塞がれて開口部４が縮径し、容器９の口部９０の付け根（容器９の片部９１）辺りが各側面部２０，２１により覆われるので、容器９がケース体２内から抜け落ちるのが防止される。
【００２６】
なお、本実施例では、接合手段６としてボタン留めを採用しているが、これに限らず、マジックテープ（登録商標）やフックの他、紐などを用いて各側面部２０，２１の左右の端部同士を接合して、ケース体２からの容器９の抜け落ちを防止するようにしてもよい。
【００２７】
前記ベルト３は、ケース体２を吊り持ちするための吊持手段を構成するものである。ベルト３を使用者の手やカバンに掛けることでケース体２を持ち易くするためだけではなく、任意の場所にベルト３を引っ掛けることで、ケース体２を吊り下げ可能としている。このベルト３は、両端部を各帯材７２，７２にそれぞれ連結具３０，３１を介して連結することにより、ケース体２に取り付けられている。なお、ベルト３の一方の端部には、フック３２が設けられており、連結具３０に対して着脱可能となっている。
【００２８】
上記した構成の容器収納ホルダ１にペットボトルなどの容器９を収納するには、図１および図３に示すように、伸長状態にあるケース体２上面の開口部４からケース体２内に容器９を挿入する。そして、各ボタン７１，７１をそれぞれ貫通孔８，８を通してボタン保持部材７０，７０に嵌め込むことにより、ケース体２の各側面部２０，２１の左右の端部同士が接合される結果、図４に示すように、容器９は抜け落ちが防止された状態でケース体２内に収納される。
【００２９】
容器収納ホルダ１に容器９を収納しない場合には、底部２２をケース体２の内側に向けて屈曲させてケース体２を扁平な状態とする。そして、各側面部２０，２１を２箇所の位置でコ字状に折り曲げて底部２２を開口部４内に挿し込むことにより、容器収納ホルダ１は、図５に示すように、コンパクトに折り畳まれた状態となるので、その持ち運びが容易となる。このように、本考案の容器収納ホルダ１は、容器９の未収納時には、簡単な操作でコンパクトに折り畳むことが可能である。
【００３０】
なお、本実施例の容器収納ホルダ１では、折り畳む際には、ケース体２の底部２２を、各側面部２０，２１を２箇所の位置で折り曲げることによって、開口部４内に挿し込んでいるが、これに限らず、各側面部２０，２１を３箇所以上の位置で折り曲げることで、底部２２を開口部４内に挿し込み、これにより、容器収納ホルダ１が折り畳まれるように構成してもよい。
【符号の説明】
【００３１】
１    容器収納ホルダ
２    ケース体
４    開口部
６    接合手段
８    貫通孔
９    容器
２０  側面部
２１  側面部
２２  底部
２５  切欠部
７１  ボタン保持部材
７２  帯材
７３  ボタン
【図１】
0003150901.tif 000003
【図２】
0003150901.tif 000004
【図３】
0003150901.tif 000005
【図４】
0003150901.tif 000006
【図５】
0003150901.tif 000007
【図６】
0003150901.tif 000008
【図７】
0003150901.tif 000009